【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
体内の器官にある腔に位置する癌を治療するための装置であって、前記装置は：
前記腔に直接導入される酸化鉄ナノ粒子の溶液であって、前記溶液は、前記腔の表面を裏打ちする組織と接触している、溶液と、
前記腔を含む体を置くための台と、
前記腔を通って延びる治療ＡＣ磁場を発生させるために置かれている少なくとも１つのコイルと、
前記腔内の前記溶液の温度を感知するための、少なくとも２つの温度測定プローブと、
前記少なくとも１つのコイルに駆動電流を印加して前記治療ＡＣ磁場を発生するため、および前記コイルへの前記駆動電流を調節して所定の速度で前記腔の温度を上昇させ、かつ感知された前記腔の温度に応じて所定の時間にわたって所定の温度に前記腔を維持するための制御コンピュータと
を備え、
ここで、前記磁場の周波数は、３０ｋＨｚと１００ｋＨｚとの間であり；そして
前記腔は、膀胱、乳房、頸部、大腸、子宮、膣、食道、胃および脳を含む前記器官のうちの１つに配置され、前記腔は、生来のものであるか、または前記器官内に作出されたものである、
装置。
【請求項２】
前記酸化鉄ナノ粒子の溶液の濃度は、２０ｍｇ／ｍｌと３００ｍｇ／ｍｌとの間である、請求項１に記載の装置。
【請求項３】
前記所定の速度が、０．０００８°Ｋ／秒〜０．４０７°Ｋ／秒の温度の上昇である、請求項１に記載の装置。
【請求項４】
前記所定の時間が、１５分間と６０分間との間である、請求項１に記載の装置。
【請求項５】
治療のために前記腔に前記酸化鉄ナノ粒子の溶液を導入し、そして治療後に前記腔から前記酸化鉄ナノ粒子の溶液を除去するための手段をさらに備える、請求項１に記載の装置。
【請求項６】
前記所定の温度が、４２℃と４３℃との間である、請求項１に記載の装置。
【請求項７】
治療のために前記腔に前記ナノ粒子の溶液を導入し、そして治療後に前記腔から前記ナノ粒子の溶液の少なくとも一部を除去するための手段をさらに備える、請求項１に記載の装置。
【請求項８】
治療を受けていない前記体の一部を保護するためのシールドをさらに備える、請求項１に記載の装置。
【請求項９】
請求項１に記載の装置の動作を制御するための方法であって、前記方法は：
腔を通って延びる治療ＡＣ磁場を発生させるための少なくとも１つのコイルを置くステップと；
制御コンピュータを使用して、前記少なくとも１つのコイルに駆動電流を印加して前記磁場を発生させ、そして前記制御コンピュータを使用して前記コイルへの前記駆動電流を調節して所定の速度で前記腔の温度を上昇させ、かつ前記腔の温度に応じて所定の時間にわたって所定の温度に前記腔を維持するステップと
を包含し、ここで、
前記治療ＡＣ磁場の周波数は、４０ｋＨｚと７５ｋＨｚとの間である、
方法。
【請求項１０】
前記酸化鉄ナノ粒子の溶液の濃度は、２０ｍｇ／ｍｌと３００ｍｇ／ｍｌとの間である、請求項９に記載の方法。
【請求項１１】
前記所定の速度が、０．０００８°Ｋ／秒〜０．４０７°Ｋ／秒の温度の上昇である、請求項９に記載の方法。
【請求項１２】
前記所定の時間が、１５分間と６０分間との間である、請求項９に記載の方法。
【請求項１３】
前記所定の温度が、４２℃と４３℃との間である、請求項９に記載の方法。
【請求項１４】
治療を受けていない前記体の一部が遮蔽される、請求項９に記載の方法。
【請求項１５】
治療を受けていない前記体の前記一部が、保護されるべき前記体の前記一部に対してＤＣ磁場を印加することによって遮蔽される、請求項１４に記載の方法。
【請求項１６】
治療を受けていない前記体の前記一部が、保護されるべき前記体の前記一部に対してＡＣ磁場を印加することによって遮蔽され、前記ＡＣ磁場は、前記治療ＡＣ磁場の位相とは異なる位相を有する、請求項１４に記載の方法。
【請求項１７】
前記シールドが、８×１０４超の透磁率を有する磁気透過性材料である、請求項１４に記載の方法。
【手続補正２】
【補正対象書類名】明細書
【補正対象項目名】００２２
【補正方法】変更
【補正の内容】
【００２２】
この治療は、火傷、ホットスポット、コールドスポット、または不注意による組織加熱の可能性を劇的に低減させる。
例えば、本発明は、以下の項目を提供する：
（項目１）
生体内にある腔に位置する癌を治療するための装置であって、
侵襲性因子がある腔を含む生体を置くための台と、
上記生体内にある上記腔の中に挿入可能な嚢と、
上記腔の中に挿入されている上記嚢内に配置され、かつ標的粒子を含有する流体と、
上記標的粒子を活性化して熱エネルギーを発生させるように、上記台上に置かれている上記生体の上記腔を通って延びるエネルギー場を発生するための、上記標的粒子と電磁的に連通している少なくとも１つのコイルと、
上記少なくとも１つのコイルに駆動信号を印加して上記エネルギー場を発生するためのエネルギー場コントローラとを備える、癌を治療するための装置。
（項目２）
上記少なくとも１つのコイルが、上記生体の上記腔を通って第１のコイルと第２のコイルの間に延びるエネルギー場を発生するための、上記生体の両側に置くことが可能な上記第１のコイルおよび上記第２のコイルを含む、項目１に記載の癌を治療するための装置。
（項目３）
上記第１のコイルおよび上記第２のコイルがリッツ線の巻線を備える、項目２に記載の癌を治療するための装置。
（項目４）
上記少なくとも１つのコイルが、上記生体の上記腔を通って延びるエネルギー場を発生するための、上記生体が中に置かれる開口が形成されているコイルを含む、項目１に記載の癌を治療するための装置。
（項目５）
上記少なくとも１つのコイルがリッツ線の巻線を備える、項目４に記載の癌を治療するための装置。
（項目６）
上記エネルギー場コントローラが、
上記少なくとも１つのコイルに供給されて、均一磁場を作り出す駆動電流を生成する増幅器を含む、項目１に記載の癌を治療するための装置。
（項目７）
上記エネルギー場コントローラがさらに、
上記駆動電流を変調して７５ｋＨｚ未満の周波数の磁場を発生する周波数発生器を含む、項目６に記載の癌を治療するための装置。
（項目８）
上記エネルギー場コントローラがさらに、
上記腔内の現在の温度を示す制御信号を発生するための温度モニタと、
上記腔内の上記現在の温度を示す上記制御信号に応答して、上記増幅器によって生成された上記駆動電流を動的に調節するための制御コンピュータとを含む、項目６に記載の癌を治療するための装置。
（項目９）
場の種類、周波数、場の強度、持続時間、場の変調、繰り返し周波数、極性化、ビームサイズ、および焦点のうちの少なくとも１つを含むエネルギー場の特性からエネルギー場特性を自動的に選択して上記標的粒子にエネルギーを与え、それによって、上記エネルギー場による照射に応じた熱エネルギーを生成するための制御コンピュータをさらに備える、項目１に記載の癌を治療するための装置。
（項目１０）
上記エネルギー場コントローラが、
発生した上記エネルギー場を調節して、上記腔内の上記流体の温度を所定の温度まで所定の時間にわたって上昇させ、それによって、上記腔の壁を裏打ちする組織が、上記流体中の化学療法薬を吸収することを促進するためのフィードバックプロセッサを含む、項目１に記載の癌を治療するための装置。
（項目１１）
発生した上記エネルギー場を調節して、上記腔内の上記流体の温度を所定の時間温度プロファイルに従って上昇させ、それによって、上記腔の壁を裏打ちする組織が、上記流体中の化学療法薬を吸収することを促進するための制御コンピュータをさらに含む、項目１に記載の癌を治療するための装置。
（項目１２）
生体内にある腔に位置する癌を治療するための方法であって、
侵襲性因子がある腔を含む生体を台の上に置くステップと、
上記生体内にある上記腔の中に嚢を挿入するステップと、
上記腔の中に挿入されている上記嚢内に、標的粒子を含有する流体を配置するステップと、
上記標的粒子と電磁的に連通している少なくとも１つのコイル内で、上記標的粒子を活性化して熱エネルギーを発生させるように、上記台上に置かれている上記生体の上記腔を通って延びるエネルギー場を発生するステップと、
上記少なくとも１つのコイルに駆動信号を印加して上記エネルギー場を発生するステップとを含む、癌を治療するための方法。
（項目１３）
上記少なくとも１つのコイルが第１のコイルおよび第２のコイルを含み、上記方法が、上記生体の上記腔を通って上記第１のコイルと上記第２のコイルとの間に延びるエネルギー場を発生するための上記第１のコイルおよび上記第２のコイルを上記生体の両側に置くステップをさらに含む、項目１２に記載の癌を治療するための方法。
（項目１４）
上記第１のコイルおよび上記第２のコイルがリッツ線の巻線を備える、項目１３に記載の癌を治療するための方法。
（項目１５）
上記少なくとも１つのコイルが、上記生体の上記腔を通って延びるエネルギー場を発生するための、上記生体が中に置かれる開口が形成されているコイルを含む、項目１２に記載の癌を治療するための方法。
（項目１６）
上記少なくとも１つのコイルがリッツ線の巻線を備える、項目１５に記載の癌を治療するための方法。
（項目１７）
上記印加するステップが、
上記少なくとも１つのコイルに供給される駆動電流を生成して、均一磁場を作り出すステップを含む、項目１２に記載の癌を治療するための方法。
（項目１８）
上記印加するステップが、
上記駆動電流を変調して７５ｋＨｚ未満の周波数の磁場を発生するステップを含む、項目１７に記載の癌を治療するための方法。
（項目１９）
上記印加するステップが、
上記腔内の現在の温度を示す制御信号を発生するステップと、
上記腔内の上記現在の温度を示す上記制御信号に応答して、上記増幅器によって生成された上記駆動電流を動的に調節するステップとをさらに含む、項目１８に記載の癌を治療するための方法。
（項目２０）
場の種類、周波数、場の強度、持続時間、場の変調、繰り返し周波数、極性化、ビームサイズ、および焦点のうちの少なくとも１つを含むエネルギー場の特性からエネルギー場特性を自動的に選択して上記標的粒子にエネルギーを与え、それによって、上記エネルギー場による照射に応じた熱エネルギーを生成するステップをさらに含む、項目１２に記載の癌を治療するための方法。
（項目２１）
上記印加するステップが、
発生した上記エネルギー場を調節して、上記腔内の上記流体の温度を所定の温度まで所定の時間にわたって上昇させ、それによって、上記腔の壁を裏打ちする組織が、上記流体中の化学療法薬を吸収することを促進するステップを含む、項目１２に記載の癌を治療するための方法。
（項目２２）
発生した上記エネルギー場を調節して、上記腔内の上記流体の温度を所定の時間温度プロファイルに従って上昇させ、それによって、上記腔の壁を裏打ちする組織が、上記流体中の化学療法薬を吸収することを促進するステップをさらに含む、項目１２に記載の癌を治療するための方法。